(57)【要約】      （修正有）【課題】マザーボードからＩ／Ｏコネクタを分離するための機器及びサーバシステムを提供する。【解決手段】サーバシステム２００は、筐体、筐体内に取り付けられるマザーボード２０２及び筐体内に取り付けられるドーターボード２１６を含む。マザーボードは、１または複数の中央処理装置用ソケット及び１または複数のメモリチップ用ソケットを含む。ドーターボードは、ボードコネクタ２２０によってマザーボードに伝達可能に接続されている。ドーターボードは、筐体の外側に直接的な外部接続用に構成される１または複数の入力／出力（Ｉ／Ｏ）コネクタ２１８を含む。マザーボードは、筐体の外側に直接的な外部接続用に構成される（Ｉ／Ｏ）コネクタを有さない。【選択図】図２Ｃ
2020030789.tif 000002
【特許請求の範囲】
【請求項１】
筐体と、
前記筐体内に取り付けられ、１または複数の中央処理装置用ソケット、および、１または複数のメモリチップ用ソケットを含むマザーボードと、
前記筐体内に取り付けられ、前記マザーボードに伝達可能に接続されるドーターボードであって、前記筐体の外側に直接的な外部接続用に構成される１または複数の入力／出力（Ｉ／Ｏ）コネクタを含む、ドーターボードと
を含み、
前記マザーボードは、前記筐体の外側に直接的な外部接続用に構成される（Ｉ／Ｏ）コネクタを有さない、サーバシステム。
【請求項２】
前記マザーボードおよび前記ドーターボードは、ホットプラグ可能なコネクタによって伝達可能に連結される、請求項１記載のサーバシステム。
【請求項３】
前記ホットプラグ可能なコネクタは、直線コネクタである、請求項２記載のサーバシステム。
【請求項４】
前記ホットプラグ可能なコネクタは、直角コネクタである、請求項２記載のサーバシステム。
【請求項５】
前記マザーボード、前記ドーターボード、または、これらの組合せは、ガイドピンを含む、請求項１記載のサーバシステム。
【請求項６】
前記ドーターボードは、ガイドピンを含む、請求項５記載のサーバシステム。
【請求項７】
前記Ｉ／Ｏコネクタは、１または複数のビデオコネクタ、パラレルポートコネクタ、シリアルポートコネクタ、ネットワークインタフェースコントローラ（ＮＩＣ）コネクタ、および／または、ユニバーサルシリアルバス（ＵＳＢ）コネクタを含む、請求項１記載のサーバシステム。
【請求項８】
前記筐体は、前面パネルおよび背面パネルを含み、
前記１または複数のＩ／Ｏコネクタは、前記背面パネルにおける１または複数の開口を通って延在する、請求項１記載のサーバシステム。
【請求項９】
前記筐体は、前面パネルおよび背面パネルを含み、
前記１または複数のＩ／Ｏコネクタは、前記背面パネルにおける１または複数の開口と同じ面にある、請求項１記載のサーバシステム。
【請求項１０】
前記筐体は、前面パネルおよび背面パネルを含み、
前記１または複数のＩ／Ｏコネクタは、前記背面パネルにおける１または複数の開口と比較して、前記筐体内に凹設される、請求項１記載のサーバシステム。
【発明の詳細な説明】
【技術分野】
【０００１】
本発明は、サーバシステム、より具体的には、サーバシステムの入力／出力（Ｉ／Ｏ）コネクタに関する。
【背景技術】
【０００２】
サーバシステム内の空間は、典型的には、限られている。限られた空間のために、サーバシステム用の従来のマザーボードは、対応する筐体のほとんど全長を占めている。筐体と比較して、従来のマザーボードの長さは、サーバシステムに組み付ける際に、問題を生じ得る。例えば、Ｉ／Ｏインタフェースは、典型的には、サーバシステムの従来のマザーボードの背面側に位置しており、それゆえに、サーバシステムの筐体において、従来のマザーボードを配置することを困難にしている。これは、図１に示されている。
【０００３】
図１は、従来のラックマウント型のサーバシステムのような従来のサーバシステム１００、および、上述した困難性を示している。サーバシステム１００は、従来のマザーボード１０２を含んでいる。従来のマザーボード１０２は、メインボードであり、それゆえに、１または複数の中央処理装置用ソケット１０４、および、１または複数のメモリチップ用ソケット１０６を有している。従来のマザーボード１０２は、その背面端部１０２ａに、Ｉ／Ｏコネクタ１１０を有するＩ／Ｏインタフェース１０８を含んでいる。従来のマザーボード１０２は、Ｉ／Ｏコネクタ１１０の付加的な長さを含める場合には、筐体１１２よりも若干長くなり得る。従来のマザーボード１０２の長さは、組み付けの問題の代償として、１または複数の中央処理装置用ソケット１０４、および、１または複数のメモリチップ用ソケット１０６などのような構成要素のための領域を最大化するように意図されている。例えば、図１は、なぜ、従来のマザーボード１０２が、筐体１１２に挿入されながら、筐体１１２に対して、不自然（awkwardly）に傾けられる必要があるかを示している。不自然な角度（awkwardly angle）は、従来のマザーボード１０２の背面においてＩ／Ｏコネクタ１１０を有するＩ／Ｏインタフェース１０８が、筐体１１２の背面パネル１１４を通って延在し得るようにするために、要求される。不自然な角度は、組み付け中における困難性を引き起こし、従来のマザーボード１０２に損傷を生じさせる。場合によっては、ＬＥＤインジケータのような、１または複数のインジケータ（図示せず）が、複数のＩ／Ｏコネクタ１１０の間、および／または、複数のＩ／Ｏコネクタ１１０の近傍にあり得て、インジケータは、筐体１１２において、従来のマザーボード１０２の組み付け中に、同様に、損傷し得る。
【０００４】
さらに、保守性の観点から、従来のマザーボード１０２と一体化したＩ／Ｏインタフェース１０８を有することによって、Ｉ／Ｏインタフェース１０８、または、Ｉ／Ｏインタフェース１０８の１または複数のＩ／Ｏコネクタ１１０を交換することができない（または、少なくとも困難である）。Ｉ／Ｏインタフェース１０８、または、１または複数のＩ／Ｏコネクタ１１０が交換され得る限り、そのような交換は、サーバシステムのシャットダウンを必要とする。
【０００５】
したがって、前述の欠点を克服する装置への要求がある。
【発明の概要】
【０００６】
種々の実施形態は、マザーボードからＩ／Ｏコネクタを分離するための機器に関する。
【０００７】
第１実施形態によるサーバシステムは、筐体、マザーボード、およびドーターボードを含んでいる。マザーボードは、サーバシステムのメインボードである。マザーボードは、１または複数の中央処理装置用ソケット、および、１または複数のメモリチップ用ソケットを含んでいる。マザーボードは、筐体の外側に直接的な外部接続用に構成される（Ｉ／Ｏ）コネクタを有していない。ドーターボードは、マザーボードに伝達可能に接続されている。ドーターボードは、筐体の外側に直接的な外部接続用に構成される１または複数の入力／出力（Ｉ／Ｏ）コネクタを含んでいる。
【０００８】
いくつかの実施形態において、マザーボードおよびドーターボードは、ホットプラグ可能なコネクタによって、伝達可能に連結されている。ホットプラグ可能なコネクタは、直線コネクタまたは直角コネクタである。
【０００９】
いくつかの実施形態において、マザーボード、ドーターボード、またはこれらの組合せは、ガイドピンを含んでいる。例えば、ドーターボードが、ガイドピンを含んでいる。
【００１０】
いくつかの実施形態において、Ｉ／Ｏコネクタは、１または複数のビデオコネクタ、パラレルポートコネクタ、シリアルポートコネクタ、ネットワークインタフェースコントローラ（ＮＩＣ）コネクタ、および／または、ユニバーサルシリアルバス（ＵＳＢ）コネクタを含んでいる。
【００１１】
いくつかの実施形態において、ドーターボードは、サーバシステム用のＩ／Ｏコネクタのすべてを有している。
【００１２】
いくつかの実施形態において、筐体は、前面パネルおよび背面パネルを含んでおり、１または複数のＩ／Ｏコネクタは、背面パネルにおける１または複数の開口を通って延在している。
【００１３】
いくつかの実施形態において、筐体は、前面パネルおよび背面パネルを含んでおり、１または複数のＩ／Ｏコネクタは、背面パネルにおける１または複数の開口と同じ面にある。
【００１４】
いくつかの実施形態において、筐体は、前面パネルおよび背面パネルを含んでおり、１または複数のＩ／Ｏコネクタは、背面パネルにおける１または複数の開口と比較して、筐体内に凹設されている。
【００１５】
いくつかの実施形態において、マザーボードの長さは、筐体の長さの約９０％以下である。
【００１６】
いくつかの実施形態において、筐体は、マザーボードのコネクタと合致する外部開口を有さない。
【００１７】
第２実施形態によるボードシステムは、１または複数の中央処理装置用ソケット、および、１または複数のメモリチップ用ソケットを含んでいる。マザーボードは、筐体内に取り付けられるボードシステムにおいて、直接的な外部接続用に構成される（Ｉ／Ｏ）コネクタを有していない。ボードシステムは、ボードコネクタを介して、マザーボードに伝達可能に接続されるドーターボードも含んでいる。ドーターボードは、筐体内に取り付けられるボードシステムにおいて、直接的な外部接続用に構成される１または複数の入力／出力（Ｉ／Ｏ）コネクタを含んでいる。
【００１８】
いくつかの実施形態において、ボードコネクタは、ホットプラグ可能なコネクタである。ボードコネクタも、直線コネクタまたは直角コネクタである。
【００１９】
いくつかの実施形態において、マザーボード、ドーターボード、またはこれらの組合せは、ガイドピンを含んでいる。例えば、ドーターボードが、ガイドピンを含んでいる。
【００２０】
いくつかの実施形態において、Ｉ／Ｏコネクタは、１または複数のビデオコネクタ、パラレルポートコネクタ、シリアルポートコネクタ、ネットワークインタフェースコントローラ（ＮＩＣ）コネクタ、および／または、ユニバーサルシリアルバス（ＵＳＢ）コネクタを含んでいる。
【００２１】
本開示およびその有利な点および図面は、添付の図面を参照しながら、以下の典型的な実施形態の説明から、共に、よりよく理解されるであろう。これらの図面は、典型的な実施形態を示すだけであって、それゆえに、種々の実施形態または請求項の範囲への限定として考慮されるべきではない。
【図面の簡単な説明】
【００２２】
【図１】（従来技術）種々の実施形態を説明するのに有用な従来のマザーボードの図を示している。
【図２Ａ】本開示の態様による、サーバシステムの斜視図を示している。
【図２Ｂ】本開示の態様による、図２Ａのサーバシステムの分解図を示している。
【図２Ｃ】本開示の態様による、図２Ａの２Ｃ−２Ｃ線に沿ったサーバシステムの断面図を示している。
【図２Ｄ】本開示の態様による、図２Ａの２Ｄ−２Ｄ線に沿ったサーバシステムの背面図を示している。
【図２Ｅ】本開示の態様による、典型的なオス型の直角コネクタ２２０を示している。
【図２Ｆ】本開示の態様による、対応する典型的なメス型の直角インタフェースを示している。
【発明を実施するための形態】
【００２３】
種々の実施形態が、添付された図面を参照しながら説明され、参照符号は、類似する、または、均等な要素を示すために、図面全体を通して用いられる。図面は、原寸に比例して描かれておらず、それらは、単に、本発明を示すために提示されている。多数の具体的な詳述、関係、および、方法は、十分な理解を提供するために、示されていることが理解されるべきである。しかしながら、関連技術における当業者であれば、種々の実施形態が、１または複数の具体的な詳述がなくても、または、他の方法によって、実施されることができるのを容易に認識するであろう。他の実施例において、周知の構造または操作は、種々の実施形態の特定の態様を不明瞭にしないために、詳細には示されていない。いくつかの動作は、異なる順序、および／または、他の動作または事象と同時に生じ得るので、種々の実施形態は、示される動作または事象の順序に限定されるものではない。
【００２４】
その限りにおいて、例えば、要約、概要、詳細な説明の欄において開示されるが、請求の範囲に明示的には示されていない要素または限定は、黙示、推論、または、その他によって、単独または集合として、請求の範囲に組み込まれるべきではない。本詳細な説明の目的のために、具体的に放棄されていなければ、単数は複数を含み、逆もまた同様とする。「含む」という語句は、「限定なしに含む」ことを意味する。さらに、本明細書における、「約（“about”）」、「略（“almost”）」、「実質（“substantially”）」、「大凡（“approximately”）」などのような近似の語句は、例えば、「において（“at”）」、「ほとんど（“near”）」、または、「ほぼ（“nearly at”）」、または、「３〜５％以内（“within 3-5% of”）」、または、「許容できる製造公差内（“within acceptable manufacturing tolerances”）」、または、これらの任意の論理的な組合せを意味するものとして用いられる。
【００２５】
図１に関して上述したように、従来のマザーボードの背面側は、従来のマザーボードの設計におけるＩ／Ｏコネクタ用の一般的な配置構成である。この種の配置は一般的であるが、この配置は、筐体に対するサーバシステム用の従来のマザーボードの長さのために、組み付けの問題を生じさせている。Ｉ／Ｏコネクタは、組み付け中に、筐体の背面パネルに嵌め込む必要がある。したがって、組み付けの第１ステップは、筐体の背面パネルにＩ／Ｏコネクタを嵌め込むために、不自然な角度で従来のマザーボードを配置することになる。
【００２６】
上述した難題を軽減するために、本発明の実施形態は、Ｉ／Ｏコネクタをマザーボードから取り除くことを含んでいる。Ｉ／Ｏコネクタをマザーボードから取り除くことによって、マザーボードを不自然に傾ける必要なく、マザーボードは、筐体内に組み付けられ得る。その代わりに、取り除かれたＩ／Ｏコネクタは、マザーボードから外されて、マザーボードと連結される別個のドーターボード上に配置される。
【００２７】
図２Ａ〜２Ｄは、本開示による、マザーボード２０２およびドーターボード２１６を有するサーバシステム２００を示している。具体的には、図２Ａは、本開示の態様によるサーバシステム２００の斜視図を示している。図２Ｂは、本開示の態様によるサーバシステム２００の分解図を示している。図２Ｃは、本開示の態様による図２Ａの２Ｃ−２Ｃ線に沿ったサーバシステム２００の断面図を示している。図２Ｄは、本開示の態様による図２Ａの２Ｄ−２Ｄ線に沿ったサーバシステム２００の背面図を示している。
【００２８】
図２Ａおよび２Ｂを参照すると、サーバシステム２００は、筐体２１２内に取り付けられたマザーボード２０２およびドーターボード２１６を含んでいる。筐体２１２は、ブレードサーバシステム内のラックマウント型の筐体のような任意の種類の従来のサーバ用の筐体であり得る。筐体２１２は、少なくともマザーボード２０２が接続される底面パネル２１２ａ、前面パネル２１２ｂ、および、背面パネル２１２ｃを含んでいる。筐体２１２は、側面パネル２１２ｄも含み得る。背面パネル２１２ｃは、（後述される）Ｉ／Ｏコネクタ２１８を露出させるための１または複数の開口２１２ｅを有し得る。図２Ｃに示されるように、筐体２１２の長さはＬ１である。
【００２９】
マザーボード２０２は、サーバシステム２００のメインボードである。マザーボード２０２は、（１または複数の中央処理装置に対する）１または複数の中央処理装置用ソケット２０４、および、（１または複数のメモリチップに対する）１または複数のメモリチップ用ソケット２０６を含んでいる。マザーボード２０２は、従来のマザーボードの他の種々の構成要素を含み得る。しかしながら、マザーボード２０２は、筐体２１２の外側に直接的な外部接続用に構成される、いかなるＩ／Ｏコネクタも有していない。マザーボード２０２が、筐体２１２の外側に直接的な外部接続用に構成される、いかなるＩ／Ｏコネクタをも有していないので、筐体２１２は、マザーボード２０２のコネクタと合致する、いかなる開口も有していない。マザーボード２０２が、筐体２１２の外側に直接的な外部接続用に構成される、いかなるＩ／Ｏコネクタも有していないので、マザーボード２０２は、長さにおいて、従来のマザーボードよりも短くなり得る。長さにおいてより短いことにより、筐体２１２の長さＬ１（図２Ｃ）と比較して、マザーボードの長さＬ２（図２Ｃ）は、マザーボード２０２が、組み付け中に、筐体２１２中に直線的に落とし込まれることを可能にしている。例えば、マザーボードの長さＬ２は、筐体の長さＬ１の約９５％、約９０％、約８０％、約７０％、約６０％、または、約５０％未満となり得る。組み付け中に、マザーボード２０２を筐体２１２中に直線的に落とし込み得ることは、上述したマザーボード１０２のような従来のマザーボードを有するコンピュータシステムの組み付け、および、関連する問題に要求される不自然な角度を排除している。
【００３０】
１または複数の実施形態において、マザーボード２０２は、従来のマザーボード１０２上のＩ／Ｏコネクタ１１０により加えられる付加的な長さを除けば、従来のマザーボード１０２（図１）と同じ長さであり得る。Ｉ／Ｏコネクタ１１０の付加的な長さなしでも、および、筐体の範囲を越えて延在するＩ／Ｏコネクタを有する必要がなくても、マザーボード２０２の長さＬ２は、筐体２１２の内部と実質的に同じ長さＬ１であり得る。それでも、マザーボード２０２は、筐体２１２中に直線的に落とし込まれ得る。
【００３１】
ドーターボード２１６は、マザーボード２０２に伝達可能に接続されており、Ｉ／Ｏコネクタ２１８を含んでいる。Ｉ／Ｏコネクタ２１８は、サーバシステム２００の筐体２１２の外側に直接的な外部接続用に構成されている。１または複数の実施形態において、ドーターボード２１６は、サーバシステム２００の外側に直接的な外部接続用のＩ／Ｏコネクタのすべてを有している。１または複数の実施形態において、ドーターボード２１６は、サーバシステム２００の外側にＩ／Ｏコネクタのすべてを有している。筐体２１２内に取り付けられるドーターボード２１６によって、Ｉ／Ｏコネクタは、筐体２１２の背面パネル２１２ｃにおける開口２１２ｅと合致する。図２Ｃに示されるように、Ｉ／Ｏコネクタ２１８は、筐体２１２の背面パネル２１２ｃを越えて延在し得る。代替手段として、Ｉ／Ｏコネクタ２１８は、背面パネル２１２ｃと同じ面にあるか、または、背面パネル２１２ｃと比較して、筐体２１２内に凹設もされ得る。
【００３２】
１または複数の実施形態において、ドーターボード２１６は、マザーボード２０２に、直接的に筐体２１２に、または、両方に連結されることによって、筐体２１２内に固定され得る。例えば、ドーターボード２１６は、任意の種類の機械的固定具を用いて、底面パネル２１２ａに、または、背面パネル２１２ｃに、または両方に、連結され得る。１または複数の具体的な実施形態において、ドーターボード２１６は、ブラケットまたはパネル（図示せず）を含み得て、ドーターボード２１６を底面パネル２１２ａまたは背面パネル２１２ｃまたは両方に連結するのを補助する。
【００３３】
マザーボード２０２と同様に、ドーターボード２１６の長さは、ドーターボード２１６が、筐体２１２中に直線的に落とし込まれることを可能にしている。１または複数の実施形態において、一度、ドーターボード２１６が筐体２１２中に直線的に落とし込まれると、ドーターボード２１６は、上述したように、Ｉ／Ｏコネクタ２１８が、筐体２１２の背面パネル２１２ｃに対して適切に位置決めされるように、水平に摺動され得る。代替手段として、Ｉ／Ｏコネクタ２１８が、筐体２１２の背面パネル２１２ｃに対して凹設される際のように、Ｉ／Ｏコネクタ２１８は、単に、ドーターボード２１６を筐体２１２内に落とし込むことによって、所望の位置となってもよい。
【００３４】
Ｉ／Ｏコネクタ２１８は、サーバシステム内に見出される任意の種類のＩ／Ｏコネクタであり得る。例えば、Ｉ／Ｏコネクタ２１８は、１または複数のビデオコネクタ、１または複数のパラレルポートコネクタ、１または複数のシリアルポートコネクタ、１または複数のネットワークインタフェースコントローラ（ＮＩＣ）コネクタ、１または複数のユニバーサルシリアルバス（ＵＳＢ）コネクタ、または、これらの任意の組合せを含み得る。
【００３５】
マザーボード２０２およびドーターボード２１６は、１または複数のボードコネクタを通して、伝達可能に接続されている。図２Ｂおよび２Ｃに示されるように、マザーボード２０２は、ボードコネクタ２２０によって、ドーターボード２１６に接続されている。ドーターボード２１６は、ボードコネクタ２２０のオス型の部分２２０ａを含み得て、マザーボード２０２は、ボードコネクタ２２０の対応するメス型の部分２２０ｂを含み得る。代替手段として、マザーボード２０２が、オス型の部分２２０ａを含んでもよく、ドーターボード２１６が、対応するメス型の部分２２０ｂを含んでもよい。
【００３６】
ボードコネクタ２２０は、任意の種類のボードコネクタであり得る。例えば、ボードコネクタは、サーバ、ネットワーク、および、ストレージの用途用のバックプレーンボードの相互接続において用いられる基板対基板コネクタのような、任意の基板対基板コネクタであり得る。ボードコネクタ２２０は、高速信号用に構成され得る。ボードコネクタ２２０が、高速信号用に構成される場合、損失補償器が、含まれ得る。１または複数の実施形態において、ボードコネクタ２２０は、ホットプラグ可能なコネクタであり得る。ホットプラグ可能なコネクタとして構成されるボードコネクタ２２０は、サーバシステム２００をシャットダウンする必要なく、ドーターボード２１６が、別のドーターボード２１６と交換されることを可能にしている。
【００３７】
１または複数の実施形態において、ボードコネクタ２２０は、直線ボードコネクタとして構成され得る。直線ボードコネクタの場合、マザーボード２０２およびドーターボード２１６との間の接続が、ドーターボード２１６をマザーボード２０２に向けて押し下げることによって、確立される。代替手段として、ボードコネクタ２２０は、直角ボードコネクタであり得る。直角ボードコネクタの場合、マザーボード２０２およびドーターボード２１６との間の接続が、マザーボード２０２に対してドーターボード２１６を水平に摺動させることによって、確立される。このような接続は、マザーボード２０２のドーターボード２１６との接続中に、筐体２１２の背面パネル２１２ｃを通してＩ／Ｏコネクタ２１８を摺動させるには好都合である。また、この種類のコネクタは、さらに、組み付け中に、筐体２１２に対してドーターボード２１６を傾けるための、いかなる必要も排除する。また、この種類のボードコネクタ２２０は、筐体２１２の長さＬ１よりも短いドーターボード２１６の長さＬ３を有することによってのみ、可能である。
【００３８】
図２Ｅは、直角ボードコネクタの典型的なオス型の部分２２０ａを示しており、図２Ｆは、直角ボードコネクタの対応する典型的なメス型の部分２２０ｂを示している。より具体的には、図２Ｅおよび２Ｆのオス型の部分２２０ａおよびメス型の部分２２０ｂによって形成されるボードコネクタは、それぞれ、アンフェノールＩＣＣのＡｉｒＭａｘ（登録商標）であり得る。
【００３９】
マザーボード２０２、ドーターボード２１６、または、両方は、組み付け中に、マザーボード２０２をドーターボード２１６と整列させるのを補助する１または複数のガイドピンを有し得る。例えば、図２Ｄは、ドーターボード２１６が、ガイドピン２２４を含み、マザーボード２０２が、対応するソケット２２６を含む実施形態を示している。代替手段として、ドーターボード２１６が、ソケット２２６を含み、マザーボード２０２が、ガイドピン２２４を含み得る。図２Ｄは、マザーボード２０２の上方のドーターボード２１６上の種々のＩ／Ｏコネクタ２１８も示している。
【００４０】
図２Ｃに戻って参照すると、１または複数の実施形態において、ドーターボード２１６の下方の領域２２８、および／または、マザーボード２０２の上方の領域２３０は、システム２００内の１または複数の付加的な構成要素のために用いられ得る。例えば、オープンコンピュートプロジェクト（ＯＣＰ）カードが、領域２２８内にあり得て、ベースボード管理コントローラ（ＢＭＣ）、プログラミング可能な複合的論理デバイス（ＣＰＬＤ）、または、別の構成要素が、領域２３０内にあり得る。
【００４１】
１または複数の実施形態において、Ｉ／Ｏピンは、最適化され得る。１つの最適化は、電力信号、バス（例えば、ＳＭバス、イーサネット（登録商標）、ＵＳＢなど）、または、側波帯信号によって、Ｉ／Ｏピンを区別することを含み得る。その際、Ｉ／Ｏピンは、ピン数および印刷回路基板（ＰＣＢ）の配線を最小化するために、グランドピンを共有するように、配置され得る。側波帯信号用のピン数は、同じ機能を得るためのピン数をより少なくして用いるために、最小限とされ得る。
【００４２】
本発明の種々の実施形態が上述されたが、それらは、単なる例示であって、限定のために提示されたものではないことを理解されるべきである。開示された実施形態への多くの変更は、趣旨または範囲から逸脱することなく、本明細書における開示にしたがって、なされ得る。したがって、本発明の外延および範囲は、上述したいかなる実施形態によっても限定されるべきではない。むしろ、本発明の範囲は、以下の請求の範囲およびそれらの均等物にしたがって、定義されるべきである。
【００４３】
本発明は、１または複数の実施形態に関して、図示され、かつ、説明されているが、均等な変更および修正は、本明細書および添付図面を読んで理解すれば、本技術における当業者に想起されるであろう。さらに、本発明の具体的な特徴が、複数の実施形態中のただ１つに関して、開示されていたとしても、そのような特徴は、特定または具体的な任意の用途用に望ましく、および、有利であり得るように、他の実施形態の１または複数の他の特徴と組み合わされてもよい。
【００４４】
本明細書で用いられる用語は、具体的な実施形態を説明することのみを目的としており、限定するように意図されるものではない。本明細書で用いられるように、単数形「１つ（“a”、“an”）」および「前記（“the”）」は、その前後関係がそうでないことを明確に示さなければ、複数形も含むように意図されている。さらに、用語「含む（“including”、“includes”）」、「有する（“having”、“has”、“with”）」、または、これらの変異形が、詳細な説明および／または請求の範囲のいずれかにおいて用いられる限りにおいて、これらの用語は、用語「含む（“comprising”）」と同様に、包括的であるように意図されている。
【００４５】
別段に定義されない限り、本明細書で用いられる（技術的および科学的用語を含む）すべての用語は、本発明が属する技術における当業者によって一般的に理解されるのと同じ意味を有している。さらに、一般的に用いられる辞書において定義されるような用語は、関連技術との関連において、それらの意味と一貫性のある意味を有するものとして解釈されるべきであって、本明細書において、そのように明示的に定義されない限り、理想化され、または、過度に形式的な意味に解釈されないであろう。
【図１】
2020030789.tif 000003
【図２Ａ】
2020030789.tif 000004
【図２Ｂ】
2020030789.tif 000005
【図２Ｃ】
2020030789.tif 000006
【図２Ｄ】
2020030789.tif 000007
【図２Ｅ】
2020030789.tif 000008
【図２Ｆ】
2020030789.tif 000009
【外国語明細書】
2020030789000001.pdf
2020030789000002.pdf
2020030789000003.pdf
2020030789000004.pdf